(57)【要約】【課題】参拝の雰囲気を向上させることができる納骨堂および参拝システムを提供すること。【解決手段】複数の第１灯具Ｌ１は、参拝室３の天井面３０に分散して配設されるので、参拝室３の天井面３０で点灯する第１灯具Ｌ１によって星を模擬し、参拝室３の天井面３０を星空に見立てることができる。よって、参拝者Ｈは、参拝室３の天井面３０に光る星（点灯する第１灯具Ｌ１）を故人と見なして参拝することができるので、参拝の雰囲気を向上させることができる。【選択図】図１
2018178699.tif 000002
【特許請求の範囲】
【請求項１】
故人の遺骨が収容される複数の骨壷が安置される納骨棚と、前記骨壷の参拝を行う空間として構成される参拝室と、その参拝室に配設されると共に点灯する灯具として構成される複数の第１灯具と、それら複数の第１灯具のうち、前記参拝者が参拝する前記骨壷に対応した前記第１灯具の点灯を制御する制御装置と、を備える納骨堂において、
前記複数の第１灯具は、前記参拝室の天井面に分散して配設されることを特徴とする納骨堂。
【請求項２】
前記納骨棚が配設される空間として構成される納骨室を備え、
前記納骨室と前記参拝室とが区画され、それぞれ別々の空間として設けられることを特徴とする請求項１記載の納骨堂。
【請求項３】
前記納骨室は、前記参拝室の上方に配設されることを特徴とする請求項２記載の納骨堂。
【請求項４】
前記骨壷の鉛直方向下方に位置する前記第１灯具を点灯させることを特徴とする請求項３記載の納骨堂。
【請求項５】
前記参拝者が参拝を行う所定位置と、前記骨壷とを結ぶ仮想線上に位置する前記第１灯具を点灯させることを特徴とする請求項２記載の納骨堂。
【請求項６】
前記参拝室の床面に配設されると共に点灯する灯具として構成される複数の第２灯具を備え、
前記参拝者が参拝を行う所定位置に位置する前記第２灯具を点灯させることを特徴とする請求項５記載の納骨堂。
【請求項７】
前記天井面に映像を投影する投影装置を備えることを特徴とする請求項１から６のいずれかに記載の納骨堂。
【請求項８】
前記投影装置は、星空を模擬した映像を前記天井面に投影することを特徴とする請求項７記載の納骨堂。
【請求項９】
請求項１から８のいずれかに記載の納骨堂を備える参拝システムであって、
前記骨壷に対応する識別情報を前記制御装置に送信する携帯型電子機器を備え、
前記制御装置は、少なくとも前記識別情報に対応する前記第１灯具の点灯態様を示す点灯情報を前記携帯型電子機器に送信する点灯情報送信手段を備え、
前記携帯型電子機器は、前記点灯情報送信手段から送信される前記点灯情報を受信する点灯情報受信手段と、その点灯情報受信手段で受信された前記点灯情報に基づいて前記第１灯具の点灯態様を表示する表示手段と、を備えることを特徴とする参拝システム。
【請求項１０】
前記携帯型電子機器は、前記第１灯具の点灯態様の設定情報を入力するための入力手段と、その入力手段によって入力された前記設定情報を前記制御装置に送信する設定情報送信手段と、を備え、
前記制御装置は、前記設定情報送信手段から送信される前記設定情報を受信する設定情報受信手段を備え、
前記設定情報受信手段で受信された前記設定情報に基づいて前記第１灯具の点灯制御が前記制御装置によって行われることを特徴とする請求項９記載の参拝システム。
【請求項１１】
前記入力手段は、前記複数の第１灯具のうちのいずれの前記第１灯具を点灯させるかの設定情報を入力可能に構成されることを特徴とする請求項１０記載の参拝システム。
【請求項１２】
前記入力手段は、前記複数の第１灯具のうち、既に他の参拝者の操作によって点灯状態にある前記第１灯具に対する前記設定情報の入力を規制することを特徴とする請求項１１記載の参拝システム。
【発明の詳細な説明】
【技術分野】
【０００１】
本発明は、納骨堂および参拝システムに関し、特に、参拝の雰囲気を向上させることができる納骨堂および参拝システムに関する。
【背景技術】
【０００２】
骨壷が収納される納骨棚にライト（灯具）を設け、そのライトを参拝者の参拝時に点灯させる技術が知られている。例えば、特許文献１には、参拝者が入力する暗証番号に基づいて、その暗証番号に対応した納骨棚（骨壷）のライトを点灯させる納骨堂が開示される。この納骨堂によれば、ライトが点灯する納骨棚に、故人の遺骨（骨壷）が安置されていることを参拝者に認識させることができる。
【先行技術文献】
【特許文献】
【０００３】
【特許文献１】特開２００１−２４１２１３号公報（例えば、段落００１２，００１７、図１）
【発明の概要】
【発明が解決しようとする課題】
【０００４】
しかしながら、上述した従来の技術では、納骨堂の壁面に複数の納骨棚が配設され、それら複数の納骨棚の壁面にそれぞれ灯具が設けられる。よって、参拝者は、灯具の点灯によって故人の遺骨（骨壷）の位置を特定することができるものの、複数の納骨棚に取り囲まれた空間において、納骨棚と対面した状態で参拝を行わなければならない。よって、納骨堂での参拝の雰囲気が低下するという問題点があった。
【０００５】
本発明は、上述した問題点を解決するためになされたものであり、納骨堂での参拝の雰囲気を向上させることができる納骨堂および参拝システムを提供することを目的としている。
【課題を解決するための手段】
【０００６】
この目的を達成するために本発明の納骨堂および参拝システムは、故人の遺骨が収容される複数の骨壷が安置される納骨棚と、前記骨壷の参拝を行う空間として構成される参拝室と、その参拝室に配設されると共に点灯する灯具として構成される複数の第１灯具と、それら複数の第１灯具のうち、前記参拝者が参拝する前記骨壷に対応した前記第１灯具の点灯を制御する制御装置と、を備えるものであり、前記複数の第１灯具は、前記参拝室の天井面に分散して配設される。
【発明の効果】
【０００７】
請求項１記載の納骨堂および請求項８記載の参拝システムによれば、複数の第１灯具は、参拝室の天井面に分散して配設されるので、参拝室の天井面で点灯する第１灯具によって星を模擬し、参拝室の天井面を星空に見立てることができる。よって、参拝者は、参拝室の天井面に光る星（点灯する第１灯具）を故人と見なして参拝することができるので、参拝の雰囲気を向上させることができるという効果がある。
【０００８】
請求項２記載の納骨堂によれば、請求項１記載の納骨堂の奏する効果に加え、納骨棚が配設される空間として構成される納骨室を備え、納骨室と参拝室とが区画され、それぞれ別々の空間として設けられるので、参拝者は、納骨棚と対面せずに参拝を行うことができる。即ち、星（点灯する第１灯具）を故人と見なして参拝するための専用の空間として参拝室が設けられることにより、参拝の雰囲気をより向上させることができるという効果がある。
【０００９】
請求項３記載の納骨堂によれば、請求項２記載の納骨堂の奏する効果に加え、納骨室は、参拝室の上方に配設されるので、参拝者が星（点灯する第１灯具）を見上げた方向に骨壷を位置させることができる。よって、納骨室と参拝室とがそれぞれ別々に設けられる場合であっても、参拝者は、星を見上げる方向に故人の存在があることを意識して参拝することができるので、参拝の雰囲気をより向上させることができるという効果がある。
【００１０】
請求項４記載の納骨堂によれば、請求項３記載の納骨堂の奏する効果に加え、骨壷の鉛直方向下方に位置する第１灯具を点灯させるので、参拝者が星（点灯する第１灯具）の鉛直方向下側から星を見上げることにより、参拝者の視線の先に骨壷を位置させることができる。即ち、参拝者が真下から星を見上げることにより、その星の先に故人の存在があることを意識して参拝することができるので、参拝の雰囲気をより向上させることができるという効果がある。
【００１１】
請求項５記載の納骨堂によれば、請求項２記載の納骨堂の奏する効果に加え、参拝者が参拝を行う所定位置と、骨壷とを結ぶ仮想線上に位置する第１灯具を点灯させるので、所定位置から参拝者が星（点灯する第１灯具）を見上げることにより、参拝者の視線の先に骨壷を位置させることができる。これにより、星の先に故人の存在を意識して参拝することができるので、参拝の雰囲気をより向上させることができるという効果がある。
【００１２】
請求項６記載の納骨堂によれば、請求項５記載の納骨堂の奏する効果に加え、参拝室の床面に配設されると共に点灯する灯具として構成される複数の第２灯具を備え、参拝者が参拝を行う所定位置に位置する第２灯具を点灯させるので、点灯する第２灯具の付近から星（点灯する第１灯具）を見上げることにより、参拝者の視線の先に骨壷を位置させることができる。即ち、参拝者が参拝を行うべき所定位置（その付近から星を見上げれば視線の先に骨壷が存在する位置）を点灯する第２灯具によって容易に特定できるという効果がある。
【００１３】
請求項７記載の納骨堂によれば、請求項１から６のいずれかに記載の納骨堂の奏する効果に加え、天井面に映像を投影する投影装置を備えるので、例えば、故人の宗教に合わせた祭事の映像や、故人の嗜好に合わせた映像を天井面に映し出すことができる。よって、かかる映像の描写と星（点灯する第１灯具）の点灯との視覚効果によって、参拝の雰囲気をより向上させることができるという効果がある。
【００１４】
請求項８記載の納骨堂によれば、請求項７記載の納骨堂の奏する効果に加え、投影装置は、星空を模擬した映像を天井面に投影するので、点灯する第１灯具を、実際の星空にはない新たな星に見立てることができる。よって、星空に新たに生み出された星を故人とみなして参拝することができるので、参拝の雰囲気をより向上させることができるという効果がある。
【００１５】
請求項９記載の参拝システムによれば、次の効果を奏する。請求項１から８のいずれかに記載の納骨堂と、骨壷に対応する識別情報を制御装置に送信する携帯型電子機器を備え、制御装置は、少なくとも識別情報に対応する第１灯具の点灯態様を示す点灯情報を携帯型電子機器に送信する点灯情報送信手段を備え、携帯型電子機器は、点灯情報送信手段から送信される点灯情報を受信する点灯情報受信手段と、その点灯情報受信手段で受信された点灯情報に基づいて第１灯具の点灯態様を表示する表示手段と、を備える。よって、骨壷の識別情報が携帯型電子機器から納骨堂の制御装置に送信されると、その識別情報（参拝を行う骨壷）に対応する第１灯具の点灯態様を示す点灯情報が点灯情報送信手段によって携帯型電子機器へ送信される。かかる点灯情報は、点灯情報受信手段によって受信され、その点灯情報に基づいた第１灯具の点灯態様が表示手段に表示される。即ち、携帯型電子機器の表示手段には、参拝者が参拝を行う骨壷に対応した第１灯具の点灯態様が表示される。
【００１６】
よって、参拝者は、携帯型電子機器の表示手段に表示される第１灯具の点灯態様と、天井面で点灯する第１灯具の点灯態様とを比較することにより、複数の第１灯具のうちのいずれの第１灯具が故人の星であるのかを容易に特定することができるという効果がある。
【００１７】
請求項１０記載の参拝システムによれば、請求項９記載の参拝システムの奏する効果に加え、次の効果を奏する。携帯型電子機器は、第１灯具の点灯態様の設定情報を入力するための入力手段と、その入力手段によって入力された設定情報を制御装置に送信する設定情報送信手段と、を備え、制御装置は、設定情報送信手段から送信される設定情報を受信する設定情報受信手段を備え、設定情報受信手段で受信された設定情報に基づいて第１灯具の点灯制御が制御装置によって行われる。
【００１８】
これにより、参拝者が携帯型電子機器の入力手段を操作し、第１灯具の点灯態様の設定情報が入力されると、その設定情報が設定情報送信手段によって制御装置に送信される。かかる設定情報は、制御装置の設定情報受信手段によって受信され、その設定情報に基づいた第１灯具の点灯制御が制御装置によって行われる。即ち、参拝者が携帯型電子機器を操作することにより、星（点灯する第１灯具）の点灯態様を自由に設定することができるので、星となった故人との触れ合いを感じながら参拝を行うことができる。よって、参拝の雰囲気をより向上させることができるという効果がある。
【００１９】
請求項１１記載の参拝システムによれば、請求項１０記載の参拝システムの奏する効果に加え、入力手段は、複数の第１灯具のうちのいずれの第１灯具を点灯させるかの設定情報を入力可能に構成されるので、参拝者が携帯型電子機器の入力手段を操作することにより、点灯させる第１灯具を選択することができる。よって、参拝者の意図する位置に星を光らせることができる。これにより、例えば、複数の参拝者どうしが親密な場合には、複数の参拝者の星をそれぞれ近接した位置で点灯させて合同の参拝を行うことや、単独の参拝者の場合には、他の星とは離れた位置で星を点灯させて個別の参拝を行うことができる。よって、参拝者の意図に応じた参拝を行うことができるという効果がある。
【００２０】
請求項１２記載の参拝システムによれば、請求項１１記載の参拝システムの奏する効果に加え、次の効果を奏する。入力手段は、複数の第１灯具のうち、既に他の参拝者の操作によって点灯状態にある第１灯具に対する設定情報の入力を規制するので、参拝者が入力手段によって星の点灯態様を設定する（第１灯具の点灯の開始や、第１灯具の点灯位置を変更する）場合に、他の参拝者の操作によって既に点灯状態にある星（第１灯具）の点灯態様が変更されることを抑制できるという効果がある。
【図面の簡単な説明】
【００２１】
【図１】本発明の第１実施の形態における参拝システムを示す模式図である。
【図２】（ａ）は、参拝システムの電気的構成を示すブロック図であり、（ｂ）は、点灯テーブルの模式図である。
【図３】点灯制御処理を示すフローチャートである。
【図４】点灯設定処理を示すフローチャートである。
【図５】（ａ）は、第１灯具の点灯位置を設定するための設定画面の一例を示す模式図であり、（ｂ）は、第１灯具の点灯態様を設定するための設定画面の一例を示す模式図であり、（ｃ）は、第１灯具の点灯態様を表示する状態表示画面の一例を示す模式図である。
【図６】第２実施の形態における参拝システムを示す模式図である。
【図７】点灯制御処理を示すフローチャートである。
【図８】第３実施の形態における参拝システムを示す模式図である。
【図９】図８の矢印ＩＸ方向視における納骨堂の部分拡大図である。
【図１０】点灯制御処理を示すフローチャートである。
【発明を実施するための形態】
【００２２】
以下、本発明の好ましい実施の形態について、添付図面を参照して説明する。まず、図１を参照して、第１実施の形態の参拝システム１００について説明する。
【００２３】
図１は、本発明の第１実施の形態における参拝システム１００を示す模式図である。なお、図１では、図面を簡素化するために、納骨堂１の一部を省略した断面が図示される。
【００２４】
図１に示すように、参拝システム１００は、骨壷１０を安置するための建造物として構成される納骨堂１と、その納骨堂１を参拝する複数の参拝者Ｈのそれぞれが所持するスマートフォン２（携帯型電子機器）とによって構成されるシステムである。
【００２５】
この参拝システム１００は、参拝者Ｈがスマートフォン２を操作することで第１灯具Ｌ１を点灯させ、その点灯する第１灯具Ｌ１を星となった故人とみなして参拝を行うためのシステムである。
【００２６】
納骨堂１は、参拝者Ｈが参拝を行う空間として構成される参拝室３と、その参拝室３に配設される複数の第１灯具Ｌ１と、それら複数の第１灯具Ｌ１を点灯させる点灯装置４（図２（ａ）参照）と、その点灯装置４を制御する制御装置５と、参拝室３に配設される投影装置６と、参拝室３とは区画される空間として構成されると共に骨壷１０が安置される納骨室７と、その納骨室７に配設される納骨棚８と、を備える。
【００２７】
参拝室３は、その参拝室３の上方に形成される天井面３０と、その天井面３０と対向する床面３１と、それら天井面３０及び床面３１どうしを接続する壁面３２とによって取り囲まれた空間として形成される。天井面３０は、円錐台形に形成され、この天井面３０に複数の第１灯具Ｌ１が格子状に分散して配設される（図５（ａ）参照）。
【００２８】
第１灯具Ｌ１は、それぞれに３色（本実施の形態では、青、緑、赤色）のＬＥＤが設けられ、それら３色のＬＥＤの発光が制御されることで様々な色に点灯可能な灯具として構成される。
【００２９】
詳細は後述するが、参拝者Ｈがスマートフォン２を操作し、第１灯具Ｌ１の点灯の指示が制御装置５に送信されると、その指示に基づいて第１灯具Ｌ１のいずれかが制御装置５によって点灯制御される。よって、参拝室３の天井面３０に分散して配設される第１灯具Ｌ１が点灯することにより、第１灯具Ｌ１によって星を模擬し、天井面３０を星空に見立てることができる。従って、参拝者Ｈは、天井面３０に光る星（点灯する第１灯具Ｌ１）を見上げることにより、その星を故人とみなして参拝することができる。
【００３０】
投影装置６は、天井面３０に映像を投影するための装置であり、例えば、故人の宗教に合わせた祭事の映像や、故人の嗜好に合わせた映像、又は、星空（例えば、複数の星座）を模擬した映像等が投影装置６によって天井面３０に投影される。これにより、星（点灯する第１灯具Ｌ１）の光に加え、投影装置６によって投影される映像の描写を組み合わせ、参拝を盛り上げることができる。
【００３１】
また、投影装置６によって星空を模擬した映像が天井面３０に投影される場合には、点灯する第１灯具Ｌ１を、実際の星空にはない新たな星に見立てることができる。よって、星空に新たに生み出された星（点灯する第１灯具Ｌ１）を故人とみなして参拝を行うことができる。
【００３２】
納骨室７は、参拝室３の上階の部屋として形成され、この納骨室７に骨壷１０を収納するための納骨棚８が配設される。即ち、参拝室３及び納骨室７は、それぞれ別々の空間として設けられる。よって、星（点灯する第１灯具Ｌ１）を故人とみなして参拝するための専用の空間として参拝室３が設けられるので、参拝者Ｈは、納骨棚８と対面せずに参拝を行うことができる。
【００３３】
また、納骨室７が参拝室３の上方に配設されるので、参拝者Ｈが星（点灯する第１灯具Ｌ１）を見上げた方向に骨壷１０を位置させることができる。よって、参拝者Ｈは、星を見上げる方向（上方）に故人の存在があることを意識して参拝を行うことができる。
【００３４】
納骨棚８は、骨壷１０を収納可能な空間として構成される複数の収納部８０と、それら複数の収納部８０のそれぞれの下面に配設される読取装置８１と、を備え、ロッカー式の納骨棚として構成される。
【００３５】
収納部８０は、納骨棚８の正面視において幅方向（図１の左右方向）に複数列（本実施の形態では、８列）配設されると共に高さ方向（図１の上下方向）に複数段（本実施の形態では、３段）配設され、この収納部８０に骨壷１０が収納される。
【００３６】
骨壷１０には、その骨壷１０に収容される遺骨の情報（例えば、識別番号、故人の氏名、戒名、生年月日、没年月日、及び、納骨堂の移転履歴等）が記憶されるＩＣタグ１１（記憶媒体）が設けられる。読取装置８１は、ＩＣタグ１１の情報を読み取るためのＩＣタグリーダである。
【００３７】
納骨棚８は、平面視（図１の上方から視た場合）において、第１灯具Ｌ１が配設される領域内に複数個が設けられる。即ち、複数の第１灯具Ｌ１は、天井面３０において複数の納骨棚８の配設領域よりも広い領域に分散配置され、納骨棚８の複数の収納部８０のそれぞれの鉛直方向下方には、第１灯具Ｌ１のいずれかが位置するように構成される。
【００３８】
スマートフォン２は、第１灯具Ｌ１の点灯位置（いずれの第１灯具を点灯させるか）の設定、点灯態様（点灯、点滅、消灯、色および明るさ）の設定、及び、点灯させた第１灯具Ｌ１の点灯態様を画面上に表示するための携帯型電子機器である。
【００３９】
次いで、図２を参照して、参拝システム１００の電気的構成について説明する。図２（ａ）は、参拝システム１００の電気的構成を示すブロック図であり、図２（ｂ）は、点灯テーブル５２ａの模式図である。なお、図２では、理解を容易にするために、複数の第１灯具Ｌ１が第１灯具Ｌ１ａ〜Ｌ１ｘとして図示される。また、図２（ａ）では、図面を簡素化するために、複数の読取装置８１のうち、１個の読取装置８１（ＩＣタグ１１）のみが図示される。
【００４０】
図２に示すように、納骨堂１の制御装置５は、ＣＰＵ５０、ＲＯＭ５１及びＲＡＭ５２を備え、それらＣＰＵ５０、ＲＯＭ５１、ＲＡＭ５２は、バスライン５３を介して入出力ポート５４にそれぞれ接続される。また、入出力ポート５４には、通信装置５５、点灯装置４及び読取装置８１がそれぞれ接続される。
【００４１】
ＣＰＵ５０は、バスライン５３により接続された各部を制御する制御装置（演算装置）である。ＲＯＭ５１は、ＣＰＵ５０により実行される制御プログラムや固定値データ等を格納した書き換え不能な不揮発性のメモリである。
【００４２】
ＲＡＭ５２は、ＣＰＵ５０の制御プログラムの実行時に各種のワークデータやフラグ等を書き換え可能に記憶する揮発性のメモリであり、このＲＡＭ５２には、点灯テーブル５２ａ（図２（ｂ）参照）が設けられる。
【００４３】
点灯テーブル５２ａは、第１灯具Ｌ１ａ〜Ｌ１ｘのそれぞれの点灯情報が記憶されるデータテーブルであり、第１灯具Ｌ１ａ〜Ｌ１ｘのそれぞれの点灯状態（点灯、点滅または消灯）、点灯色、点灯の明るさ、最後に操作された日時、最後に操作を行った識別番号等が点灯情報として記憶される。
【００４４】
通信装置５５は、点灯テーブル５２ａに保存される点灯情報のスマートフォン２への送信や、スマートフォン２から送信される設定情報の受信を行うための通信装置である。
【００４５】
読取装置８１は、上述した通り、ＩＣタグ１１から骨壷１０の各種情報を読み取るための装置であり、読取装置８１で読み取られた情報が制御装置５に送信される。詳細は後述するが、制御装置５は、骨壷１０の情報と参拝者Ｈがスマートフォン２に入力する識別情報とを参照し、その参照結果に基づいて点灯装置４（第１灯具Ｌ１ａ〜Ｌ１ｘ）の制御を行う。点灯装置４は、制御装置５の指示に基づいて第１灯具Ｌ１ａ〜Ｌ１ｘをそれぞれ点灯させるための装置である。
【００４６】
スマートフォン２は、ＣＰＵ２０、ＲＯＭ２１及びＲＡＭ２２を備え、それらＣＰＵ２０、ＲＯＭ２１、ＲＡＭ２２は、バスライン２３を介して入出力ポート２４にそれぞれ接続される。また、入出力ポート２４には、タッチパネル２５、ＬＣＤ２６及び通信装置２７がそれぞれ接続される。
【００４７】
ＣＰＵ２０は、バスライン２３により接続された各部を制御する制御装置（演算装置）である。ＲＯＭ２１は、ＣＰＵ２０により実行される制御プログラムや固定値データ等を格納した書き換え不能な不揮発性のメモリであり、ＲＡＭ２２は、ＣＰＵ２０の制御プログラムの実行時に各種のワークデータやフラグ等を書き換え可能に記憶するためのメモリである。
【００４８】
タッチパネル２５は、参拝者Ｈによるタッチ操作に基づいて、そのタッチされた位置信号をスマートフォン２へ入力するための入力装置である。
【００４９】
ＬＣＤ２６は、スマートフォン２での第１灯具Ｌ１ａ〜Ｌ１ｘの点灯態様の設定画面や（図５（ａ）及び図５（ｂ）参照）、第１灯具Ｌ１ａ〜Ｌ１ｘの点灯態様（図５（ｃ）参照）を表示するためのディスプレイである。
【００５０】
通信装置２７は、参拝者Ｈが入力する識別番号や第１灯具Ｌ１ａ〜Ｌ１ｘの点灯態様の設定情報の送信、及び、制御装置５から送信される点灯情報の受信を行うための通信装置である。
【００５１】
次いで、図３及び図４を参照して、納骨堂１の制御装置５及びスマートフォン２で実行される処理について説明する。図３は、点灯制御処理を示すフローチャートであり、図４は、点灯設定処理を示すフローチャートである。図３の点灯制御処理は、制御装置５に電源が投入されると定期的（例えば２００ｍｓ毎）に実行され、図４の点灯設定処理は、スマートフォン２に設けられる設定プログラムが参拝者Ｈによって起動される（例えば、点灯態様の設定開始のキー（図示せず）や、後述する変更キー２５５が押される）と実行される。
【００５２】
図３に示すように、制御装置５のＣＰＵ５０は、スマートフォン２から識別情報を受信したか否かを確認する（Ｓ１）。識別情報とは、参拝者Ｈが設定プログラムを起動する際に入力される暗証番号やパスワードであり、その識別情報を受信していない場合（Ｓ１：Ｎｏ）、この処理を終了する。一方、識別情報を受信した場合（Ｓ１：Ｙｅｓ）、読取装置８１から送信される情報に基づいて、かかる識別情報に対応する骨壷１０が有るか否かを確認する（Ｓ２）。
【００５３】
識別情報に対応する骨壷１０が無い場合には（Ｓ２：Ｎｏ）、エラー情報をスマートフォン２へ送信し（Ｓ３）、この処理を終了する。このＳ２の処理により、参拝者Ｈの認証が行われ、Ｓ３の処理により、参拝者Ｈの識別情報に対応する骨壷１０が納骨堂１に安置されていないことを参拝者Ｈに知らせることができると共に、納骨堂１に安置される骨壷１０に無縁の参拝者Ｈによって第１灯具Ｌ１が操作されることを抑制できる。
【００５４】
また、複数の骨壷１０のそれぞれにＩＣタグ１１が取り付けられ、そのＩＣタグ１１に記憶される識別番号と、参拝者Ｈが入力する識別情報とを比較することで認証が行われるので、納骨堂１とは異なる他の納骨堂１で参拝を行う場合には、他の納骨堂１に骨壷１０を移転させるだけで参拝を行うことができる。
【００５５】
一方、Ｓ２の処理において、識別情報に対応する骨壷１０が有る場合には（Ｓ２：Ｙｅｓ）、点灯テーブル５２ａから点灯情報を取得し（Ｓ４）、その点灯情報を参照することで、識別情報に対応する第１灯具Ｌ１が有るか否かを確認する（Ｓ５）。即ち、点灯テーブル５２ａの「最後に操作を行った識別情報」を参照し、参拝者Ｈによって点灯態様の設定が行われた第１灯具Ｌ１が有る場合には（Ｓ５：Ｙｅｓ）、点灯テーブル５２ａの「最後に操作が行われた日時」を参照し、前回の点灯態様の設定が行われてから所定時間（例えば、１０分）が経過したか否かを確認する（Ｓ６）。所定時間を経過していない場合には（Ｓ６：Ｎｏ）、エラー情報をスマートフォン２へ送信し（Ｓ３）、この処理を終了する。
【００５６】
このＳ５及びＳ６の処理により、参拝者Ｈが第１灯具Ｌ１の点灯態様（点灯位置）の設定を行ってから所定時間の間は、点灯態様（点灯位置）の再設定が規制される。よって、参拝者Ｈによってむやみに第１灯具Ｌ１の点灯態様（点灯位置）が変更されることを抑制できる。
【００５７】
一方、Ｓ５の処理において、識別情報に対応する第１灯具Ｌ１が無い場合（Ｓ５：Ｎｏ）、及び、Ｓ６の処理において、前回の点灯態様の設定が行われてから所定時間が経過している場合には（Ｓ６：Ｙｅｓ）、第１灯具Ｌ１の点灯情報をスマートフォン２へ送信する（Ｓ７）。後述するように、このＳ７の処理により、第１灯具Ｌ１の点灯態様の設定がスマートフォン２の操作によって可能となる。
【００５８】
ＣＰＵ５０は、スマートフォン２から点灯態様の設定情報が送信されるのを待機し、かかる設定情報を受信していない間は（Ｓ８：Ｎｏ）、スマートフォン２が点灯態様の設定中であるか否かを確認する（Ｓ９）。設定中である場合は（Ｓ９：Ｙｅｓ）、Ｓ８の処理に戻り、設定中でない場合は（Ｓ９：Ｎｏ）、この処理を終了する。このＳ９の処理により、参拝者Ｈによる点灯態様の設定中に設定プログラムが終了された場合に、ＣＰＵ５０が設定情報の受信を待機し続けることを抑制できる。
【００５９】
一方、Ｓ８の処理において、スマートフォン２から設定情報を受信した場合には（Ｓ８Ｙｅｓ）、かかる設定情報に基づいて第１灯具Ｌ１の点灯制御を行う（Ｓ：１０）。第１灯具Ｌ１を点灯制御した後、その第１灯具Ｌ１の点灯情報を点灯テーブル５２ａに保存することより、点灯テーブル５２ａを更新する（Ｓ１１）。Ｓ１１の処理の後、更新された点灯テーブル５２ａの点灯情報をスマートフォン２へ送信し（Ｓ１２）、一連の処理を終了する。
【００６０】
図４に示すように、参拝者Ｈによってスマートフォン２の設定プログラムが起動されると、ＣＰＵ２０は、参拝者Ｈが入力した識別情報を納骨堂１の制御装置５へ送信する（Ｓ２０）。識別情報に対応する骨壷１０が納骨堂１に無い場合、及び、前回の第１灯具Ｌ１の点灯態様の設定から所定時間以内である場合には、エラー情報が制御装置５から送信されるので、そのエラー情報を受信したか否かを確認する（Ｓ２１）。エラー情報を受信した場合には（Ｓ２１：Ｙｅｓ）、ＬＣＤ２６上にエラー画面を表示し（Ｓ２２）、この処理を終了する。
【００６１】
一方、エラー情報が受信されていない場合は（Ｓ２１：Ｎｏ）、制御装置５から第１灯具Ｌ１の点灯情報を受信したか否かを確認し（Ｓ２３）、点灯情報を受信していない場合は（Ｓ２２：Ｎｏ）、Ｓ２１の処理に戻る。即ち、エラー情報または点灯情報のいずれかが制御装置５から送信されるまで待機する。
【００６２】
第１灯具Ｌ１の点灯情報を受信した場合は（Ｓ２３：Ｙｅｓ）、ＬＣＤ２６上に第１灯具Ｌ１の点灯態様の設定画面２５０ａ，２５０ｂを表示する（Ｓ２４）。
【００６３】
ここで、図５（ａ）及び図５（ｂ）を参照して、スマートフォン２のＬＣＤ２６上に表示される設定画面２５０ａ，２５０ｂについて説明する。図５（ａ）は、第１灯具Ｌ１の点灯位置を設定するための設定画面２５０ａの一例を示す模式図であり、図５（ｂ）は、第１灯具Ｌ１の点灯態様を設定するための設定画面２５０ｂの一例を示す模式図である。なお、図５（ａ）では、理解を容易にするために、灯具マップＭに表示される第１灯具Ｌ１を拡大し、図１よりも少数の第１灯具Ｌ１が図示される。
【００６４】
図５（ａ）及び図５（ｂ）に示すように、設定画面２５０ａ，２５０ｂは、それぞれ第１灯具Ｌ１の点灯位置および点灯態様を設定するための画面である。設定画面２５０ａ，２５０ｂには、それぞれ点灯位置キー２５１、点灯態様キー２５２、及び決定キー２５３が表示され、参拝者Ｈが点灯位置キー２５１又は点灯態様キー２５２をタッチすることにより、設定画面２５０ａ又は設定画面２５０ｂに遷移するように構成される。
【００６５】
図５（ａ）に示すように、設定画面２５０ａには、第１灯具Ｌ１の全ての点灯態様を示す灯具マップＭが表示される。この灯具マップＭは、制御装置５から送信される点灯情報に基づいて表示される。
【００６６】
灯具マップＭに表示される第１灯具Ｌ１のうち、点灯状態でない第１灯具Ｌ１をタッチすることにより、タッチされた第１灯具Ｌ１が記号Ｓによって指示され、その記号Ｓによって指示される第１灯具Ｌ１の点灯態様の設定が可能となる。即ち、参拝者Ｈは、複数の第１灯具Ｌ１のうち、いずれの第１灯具Ｌ１を点灯させるかを選択することができる。よって、参拝者Ｈの意図する位置に星を光らせる（第１灯具Ｌ１を点灯させる）ことができる。
【００６７】
これにより、例えば、複数の参拝者Ｈどうしが親密な場合には、複数の参拝者Ｈの星（第１灯具Ｌ１）をそれぞれ近接した位置で点灯させて合同の参拝を行うことや、単独の参拝者Ｈの場合には、他の参拝者Ｈの星とは離れた位置で星を点灯させて個別の参拝を行うことができる。よって、参拝者Ｈの意図に応じた参拝を行うことができる。
【００６８】
ここで、天井面３０が下面視において円形に形成されると共に、その天井面３０に第１灯具Ｌ１が格子状に配置されることにより、灯具マップＭに表示される第１灯具Ｌ１が実際の天井面３０のどの位置に配設されているかが認識しづらくなる。
【００６９】
これに対して、本実施の形態の参拝システム１００によれば、灯具マップＭには、平面視した場合（図１の上側から視た場合）の第１灯具Ｌ１の配設位置が表示されると共に、参拝室３の出入り口が表示される。
【００７０】
よって、参拝者Ｈは、灯具マップＭを見ることにより、出入り口を基準にしていずれの方向に位置する第１灯具Ｌ１を点灯させるかを選択することができるので、点灯させた星（第１灯具Ｌ１）の位置を容易に特定するこができる。
【００７１】
図５（ｂ）に示すように、設定画面２５０ｂには、第１灯具Ｌ１の点灯、点滅、消灯、色、及び、明るさ等の各種設定を行うための設定キー２５４が表示され、設定キー２５４をタッチすることにより、かかる各種設定を行うことができる。これにより、星（点灯する第１灯具Ｌ１）の点灯態様を自由に設定することができるので、星となった故人との触れ合いを感じながら参拝を行うことができる。
【００７２】
この場合、灯具マップＭには、第１灯具Ｌ１の全ての点灯態様が表示されるので、他の参拝者Ｈの星の点灯態様とは異なる点灯態様に設定する場合に、天井面３０で実際に点灯する第１灯具Ｌ１と見比べる必要がない。即ち、スマートフォン２の設定画面２５０ａ，２５０ｂのみを見ながら他の参拝者Ｈの星とは異なる点灯態様に容易に設定することができる。
【００７３】
また、灯具マップＭに表示される第１灯具Ｌ１のうち、既に点灯状態にある第１灯具Ｌ１は選択できないように構成されるので、参拝者Ｈが第１灯具Ｌ１の点灯態様を設定する（星の点灯の開始や、星の点灯位置を変更する）場合に、他の参拝者Ｈの操作によって既に点灯状態にある星（第１灯具Ｌ１）の点灯態様が変更されることを抑制できる。
【００７４】
設定画面２５０ａ，２５０ｂにおける第１灯具Ｌ１の点灯位置や点灯態様の設定情報の入力は、決定キー２５３をタッチすることで完了する。
【００７５】
図４に戻って説明する。スマートフォン２のＣＰＵ２０は、Ｓ２４の処理の後、第１灯具Ｌ１の点灯位置および点灯態様の設定情報が入力されたか否かを確認する（Ｓ２５）。設定情報が入力されていない場合（Ｓ２５：Ｎｏ）、設定中情報を制御装置５へ送信し（Ｓ２６）、Ｓ２５の処理に戻る。
【００７６】
一方、設定情報が入力された場合（Ｓ２５：Ｙｅｓ）、その設定情報を制御装置５へ送信する（Ｓ２７）。設定情報を制御装置５へ送信した後、制御装置５から第１灯具Ｌ１の点灯情報を受信したか否かを確認し（Ｓ２８）、点灯情報を受信していない場合は（Ｓ２８：Ｎｏ）、Ｓ２８の処理を繰り返す。点灯情報を受信した場合は（Ｓ２８：Ｙｅｓ）、受信した点灯情報に基づいて、第１灯具Ｌ１の点灯態様の状態表示画面２５０ｃをＬＣＤ２６上に表示して（Ｓ２９）、一連の処理を終了する。
【００７７】
次いで、図５（ｃ）を参照して、状態表示画面２５０ｃについて説明する。図５（ｃ）は、第１灯具Ｌ１の点灯態様を表示する状態表示画面２５０ｃの一例を示す模式図である。
【００７８】
図５（ｃ）に示すように、状態表示画面２５０ｃは、参拝者Ｈによる第１灯具Ｌ１の点灯態様（点灯位置）の設定後の状態を表示するための画面である。状態表示画面２５０ｃには、設定画面２５０ａと同様の灯具マップＭと、変更キー２５５とが表示される。
【００７９】
灯具マップＭには、参拝者Ｈが光らせた星（点灯させた第１灯具Ｌ１）を示すための記号Ｓが表記され、その記号Ｓが示す星が故人の星であることを参拝者Ｈに認識させることができる。また、故人の星をタッチすることにより、その星のみが状態表示画面２５０ｃに拡大して表示されるように構成されるので、参拝の個別感を高めることができる。
【００８０】
変更キー２５５は、点灯させた星（第１灯具Ｌ１）の点灯態様および点灯位置を変更するためのキーであり、変更キー２５５が参拝者Ｈによってタッチされると、ＣＰＵ２０によって点灯設定処理が実行され、星の点灯態様および点灯位置を変更することができる。
【００８１】
次いで、図６及び図７を参照して、第２実施の形態について説明する。第１実施の形態では、参拝者Ｈによって第１灯具Ｌ１の点灯位置が設定される場合を説明したが、第２実施の形態では、制御装置５によって第１灯具Ｌ１の点灯位置が設定される場合について説明する。なお、上述した第１実施の形態と同一の部分には同一の符号を付してその説明を省略する。
【００８２】
図６は、第２実施の形態における参拝システム２００を示す模式図であり、図７は、点灯制御処理を示すフローチャートである。図７の点灯制御処理は、制御装置５に電源が投入されると定期的（例えば２００ｍｓ毎）に実行される。
【００８３】
なお、第２実施の形態におけるスマートフォン２での処理についての説明は省略するが、第１灯具Ｌ１の点灯位置の設定が不能である点以外は、第１実施の形態と同様、第１灯具Ｌ１（及び後述する第２灯具Ｌ２）の点灯態様の設定や、点灯後の点灯態様の表示をスマートフォン２のＬＣＤ２６上で行うことができる。
【００８４】
図６に示すように、第２実施の形態の参拝システム２００においては、納骨堂２０１の参拝室３の床面３１に第１灯具Ｌ１と同一の灯具（配設位置が異なる以外は、同一の構成）からなる複数の第２灯具Ｌ２が格子状に配設される。この第２灯具Ｌ２の点灯情報は、第１灯具Ｌ１と同様に点灯テーブル５２ａに保存される（図２参照）。
【００８５】
図７に示すように、制御装置５のＣＰＵ５０は、スマートフォン２から識別情報を受信したか否かを確認する（Ｓ２０１）。識別情報を受信していない場合は（Ｓ２０１：Ｎｏ）、一連の処理を終了し、識別情報を受信した場合は（Ｓ２０１：Ｙｅｓ）、読取装置８１から送信される情報に基づいて、かかる識別情報に対応する骨壷１０が有るか否かを確認する（Ｓ２０２）。識別情報に対応する骨壷１０が無い場合には（Ｓ２０２：Ｎｏ）、エラー情報をスマートフォン２へ送信し（Ｓ２０３）、一連の処理を終了する。
【００８６】
一方、Ｓ２０２の処理において、識別情報に対応する骨壷１０が有る場合には（Ｓ２０２：Ｙｅｓ）、点灯テーブル５２ａから点灯情報を取得する（Ｓ２０４）。その点灯情報をしたら、Ｓ２０１の処理で受信した識別番号に対応する骨壷１０の位置（いずれの収納部８０に安置されているか）を特定する。その特定した骨壷１０の鉛直方向下方（図６の下側）に位置する第１灯具Ｌ１が点灯しているか否かを、Ｓ２０４で取得した点灯情報を参照して確認し（Ｓ２０５）、点灯していない場合は（Ｓ２０５：Ｎｏ）、骨壷１０の鉛直方向下方に位置する第１灯具Ｌ１及び第２灯具Ｌ２（例えば、図６の仮想線Ｖ１上に位置する第１灯具Ｌ１及び第２灯具Ｌ２）を同一の点灯態様で点灯制御する（Ｓ２０６）。
【００８７】
これにより、参拝者Ｈが星（点灯する第１灯具Ｌ１）の鉛直方向下側から星を見上げることにより、参拝者Ｈの視線の先に骨壷１０を位置させることができる。即ち、参拝者Ｈが真下から星を見上げることにより、その星の先に故人の存在があることを意識して参拝することができる。
【００８８】
また、床面に配設される第２灯具Ｌ２が第１灯具Ｌ１と同一の点灯態様で点灯制御されることにより、参拝者Ｈは、参拝を行うべき場所および星（点灯する第１灯具）を容易に特定することができる。参拝を行うべき場所とは、その地点から星を見上げれば、その星の先に骨壷１０が位置する場所である。
【００８９】
Ｓ２０６の処理の後、点灯テーブル５２ａを更新し（Ｓ２０７）、現時点での第１灯具Ｌ１及び第２灯具Ｌ２の点灯情報をスマートフォン２へ送信して（Ｓ２０８）、一連の処理を終了する。
【００９０】
一方、Ｓ２０５の処理において、骨壷１０の鉛直方向下方に位置する第１灯具Ｌ１が点灯している場合は（Ｓ２０５：Ｙｅｓ）、かかる点灯する第１灯具Ｌ１を用いて既に他の参拝者Ｈによって参拝が行われている場合である。
【００９１】
ここで、本実施の形態では、収納部８０は、納骨棚８の高さ方向（図６の上下方向）に複数段配設され、この収納部８０に骨壷１０が収納される。よって、同じ列の収納部８０に収納される骨壷１０の参拝が同時に行われる場合、１の参拝者Ｈが骨壷１０の鉛直方向下方に位置する第１灯具Ｌ１を点灯させると、他の参拝者Ｈは、骨壷１０の鉛直方向下方に位置する第１灯具Ｌ１を点灯させることができない（参拝する星が重複してしまう）。
【００９２】
これに対して、本実施の形態の参拝システム２００によれば、制御装置５のＣＰＵ５０は、既に骨壷１０の鉛直方向下方に位置する第１灯具Ｌ１が点灯している場合には（Ｓ２０５：Ｙｅｓ）、点灯テーブル５２ａの点灯情報を参照し、点灯していない第１灯具Ｌ１及び第２灯具Ｌ２のうち、骨壷１０を通る仮想線Ｖ２上に位置する第１灯具Ｌ１及び第２灯具Ｌ２（図６参照）をそれぞれ同一の点灯態様で（既に点灯状態にある第１灯具Ｌ１とは異なる点灯態様で）点灯制御する（Ｓ２０９）。
【００９３】
これにより、骨壷１０の鉛直方向下方に位置する第１灯具Ｌ１が１の参拝者Ｈによって既に使用されている場合であっても、他の参拝者Ｈは、点灯する第２灯具Ｌ２の付近に立って星（第２灯具Ｌ２と同一の点灯態様で点灯する第１灯具Ｌ１）を斜めに見上げることにより、その視線の先に骨壷１０を位置させることができる。よって、点灯させる第１灯具Ｌ１が重複することなく、複数の参拝者Ｈが星の先に骨壷１０を位置させた状態で参拝を行うことができる。
【００９４】
Ｓ２０９の処理の後、点灯テーブル５２ａを更新し（Ｓ２０７）、現時点での第１灯具Ｌ１及び第２灯具Ｌ２の点灯情報をスマートフォン２へ送信して（Ｓ２０８）、一連の処理を終了する。
【００９５】
このＳ２０８の処理により、第２灯具Ｌ２の点灯態様もスマートフォン２のＬＣＤ２６上に表示させることができるので、参拝者Ｈは、ＬＣＤ２６上に表示される第２灯具Ｌ２の点灯態様と、実際に床面３１で点灯する第２灯具Ｌ２の点灯態様とを比較して、参拝を行うべき場所を容易に特定することができる。なお、第１灯具Ｌ１や第２灯具Ｌ２の消灯は、所定時間が経過したら制御装置５に消灯させるか、若しくは、スマートフォン２の操作によって消灯させるように構成すれば良い。
【００９６】
次いで、図８から図１０を参照して、第３実施の形態について説明する。第２実施の形態では、骨壷１０を通る仮想線Ｖ１，Ｖ２上に位置する第１灯具Ｌ１及び第２灯具Ｌ２が点灯制御される場合を説明したが、第３実施の形態では、骨壷１０の座標に対応する第１灯具Ｌ１が点灯制御される場合について説明する。なお、上述した第１，２実施の形態と同一の部分には同一の符号を付してその説明を省略する。
【００９７】
図８は、第３実施の形態における参拝システム３００を示す模式図であり、図９は、図８の矢印ＩＸ方向視における納骨堂３０１の部分拡大図である。図１０は、点灯制御処理を示すフローチャートである。図１０の点灯制御処理は、制御装置５に電源が投入されると定期的（例えば２００ｍｓ毎）に実行される。なお、図９では、納骨堂３０１の天井面３０のみを模式的に図示している。
【００９８】
また、第３実施の形態におけるスマートフォン２での処理についての説明は省略するが、第１灯具Ｌ１の点灯位置の設定が不能である点以外は、第１，２実施の形態と同様、第１灯具Ｌ１の点灯態様の設定や、点灯後の点灯態様の表示をスマートフォン２のＬＣＤ２６上で行うことができる。
【００９９】
図８に示すように、第３実施の形態の参拝システム３００においては、納骨堂３０１の納骨室３０７が参拝室３の隣室の部屋として形成され、納骨室３０７には骨壷１０を収納するための納骨棚８が配設される。納骨棚８は、納骨室３０７内に複数（本実施の形態では、３個）設けられ、図示は省略するが、３個の納骨棚８が図８の紙面垂直方向において並設されている。それら複数の納骨棚８のそれぞれには、複数（本実施の形態では、３段×５列）の収容部８０が設けられる。なお、収容部８０のうち、最上段に位置するものが１段目の収容部８０であり、最下段に位置するものが３段目の収容部８０である。
【０１００】
図９に示すように、天井面３０には、複数（本実施の形態では、９行×５列の４５個）の第１灯具Ｌ１が格子状に配設される。納骨室３０７内における収容部８０の総数（本実施の形態では、合計４５個）と、天井面３０に設けられる第１灯具Ｌ１の総数（本実施の形態では、合計４５個）とが対応する（同一の）数に設定される。
【０１０１】
天井面３０には、３個の納骨棚８のうち、第１の納骨棚８に対応する第１灯具Ｌ１が設けられる第１領域Ｒ１と、第２の納骨棚８に対応する第１灯具Ｌ１が設けられる第２領域Ｒ２と、第３の納骨棚８に対応する第１灯具Ｌ１が設けられる第３領域Ｒ３とが形成される。第１〜３領域Ｒ１〜Ｒ３のそれぞれには、３行×５列の合計１５個の第１灯具Ｌ１が設けられている。
【０１０２】
即ち、第１の納骨棚８の収容部８０の段数（３段）と、第１領域Ｒ１に配設される第１灯具Ｌ１の行数（３行）とが同一に設定され、第１の納骨棚８の収容部８０の列数（３列）と、第１領域Ｒ１に配設される第１灯具Ｌ１の列数（３列）とが同一に設定される。同様に、第２の納骨棚８（第３の納骨棚８）の収容部８０の段数および列数と、第２領域Ｒ２（第３領域Ｒ３）の行数および列数とが同一の数に設定されている。
【０１０３】
図１０に示すように、制御装置５のＣＰＵ５０は、スマートフォン２から識別情報を受信したか否かを確認する（Ｓ３０１）。識別情報を受信していない場合は（Ｓ３０１：Ｎｏ）、一連の処理を終了し、識別情報を受信した場合は（Ｓ３０１：Ｙｅｓ）、読取装置８１から送信される情報に基づいて、かかる識別情報に対応する骨壷１０が有るか否かを確認する（Ｓ３０２）。識別情報に対応する骨壷１０が無い場合には（Ｓ３０２：Ｎｏ）、エラー情報をスマートフォン２へ送信し（Ｓ３０３）、一連の処理を終了する。
【０１０４】
一方、Ｓ３０２の処理において、識別情報に対応する骨壷１０が有る場合には（Ｓ３０２：Ｙｅｓ）、点灯テーブル５２ａから点灯情報を取得する（Ｓ３０４）、その点灯情報を取得したら、Ｓ３０１の処理で受信した識別番号に対応する骨壷１０の位置（いずれの収納部８０に安置されているか）を特定する。その特定した骨壷１０の座標と対応した位置に存在する第１灯具Ｌ１が点灯しているか否かを、Ｓ３０４で取得した点灯情報を参照して確認し（Ｓ３０５）、点灯している場合は（Ｓ３０５：Ｙｅｓ）、一連の処理を終了する。一方、骨壷１０の座標と対応した位置に存在する第１灯具Ｌ１が点灯していない場合は（Ｓ３０５：Ｎｏ）、骨壷１０の座標に対応する位置に存在する第１灯具Ｌ１を点灯制御する（Ｓ３０６）。
【０１０５】
より具体的には、図８に示すように、参拝者Ｈが参拝を行う骨壷１０ａが、第１の納骨棚８の１段、４列目の収容部８０に収容されている場合には、図９に示すように、第１領域Ｒ１の１行、４列目に位置する第１灯具Ｌ１ａを点灯させる。即ち、第１〜３領域Ｒ１〜Ｒ３に配設される複数の第１灯具Ｌ１のうち、骨壷１０（参拝を行うもの）が収容される納骨棚８に対応した領域内の第１灯具Ｌ１であって、その領域内の第１灯具Ｌ１のうち、収容部８０（参拝を行う骨壷１０が収容されたもの）と同一の座標に位置する第１灯具Ｌ１が点灯制御される。
【０１０６】
これにより、骨壷１０が参拝室３と区画された場所に安置される場合でも、その骨壷１０と関連のある（繋がりを持つ）第１灯具Ｌ１を故人の星とみなして参拝することができる。よって、骨壷１０とは離れた場所で参拝する場合であっても、故人を意識して参拝を行うことができる。
【０１０７】
Ｓ３０６の処理の後、点灯テーブル５２ａを更新し（Ｓ３０７）、現時点での第１灯具Ｌ１の点灯情報をスマートフォン２へ送信して（Ｓ３０８）、一連の処理を終了する。
【０１０８】
このＳ３０８の処理により、第１灯具Ｌ１の点灯態様をスマートフォン２のＬＣＤ２６上に表示させることができるので、参拝者Ｈは、ＬＣＤ２６上に表示される第１灯具Ｌ１の点灯態様と、実際に天井面３０で点灯する第１灯具Ｌ１の点灯態様とを比較して、参拝を行うべき星を容易に特定することができる。なお、第１灯具Ｌ１の消灯は、所定時間が経過したら制御装置５に消灯させるか、若しくは、スマートフォン２の操作によって消灯させるように構成すれば良い。
【０１０９】
以上、上記実施の形態に基づき本発明を説明したが、本発明は上記形態に何ら限定されるものではなく、本発明の趣旨を逸脱しない範囲内で種々の変形改良が可能であることは容易に推察できるものである。
【０１１０】
上記各実施の形態における納骨堂１，２０１，３０１の一部または全部を、他の実施の形態における納骨堂１，２０１，３０１の一部または全部と組み合わせて納骨堂を構成しても良い。例えば、第２実施の形態の技術思想を第３実施の形態に適用し、参拝室３と納骨室３０７との間に位置する壁面３２に第３灯具を設ける構成でも良い。
【０１１１】
かかる構成の場合には、骨壷１０を通る仮想線上に位置する第３灯具を点灯させ、参拝を行うべき場所に位置する第２灯具Ｌ２を第３灯具と同一の点灯態様で点灯させれば良い（参拝を行うべき場所を第２灯具Ｌ２によって報せれば良い）。これにより、参拝者Ｈの視線の先に骨壷１０を位置させることができるので、参拝の雰囲気を向上させることができる。なお、参拝を行うべき場所とは、その位置（点灯する第２灯具Ｌ２）から点灯する第３灯具を見れば、その視線の先に骨壷１０が位置する場所である。
【０１１２】
また、壁面３２に第３灯具を設ける場合には、その壁面３２に自然（例えば、花や草原）を見立てた絵を描くことや、自然を見立てた映像を投影することにより、点灯する第３灯具を自然の一部（例えば、花）とみなして参拝を行うことができる。
【０１１３】
上記各実施の形態では、参拝者Ｈが納骨堂１，２０１，３０１の内部に立って参拝を行う場合を説明したが、必ずしもこれに限られるものではない。例えば、参拝室３に椅子（リクライニングシートや、ソファ）を複数設け、参拝者Ｈが座りながら（横になりながら）参拝するように構成しても良く、参拝室３の床面３１に植物（例えば、芝生や花）や土から成る草原を模擬したものを形成しても良い。また、参拝室３の内部で乗り物（例えば、レールで作られたコース上を移動する乗り物や、車両）に乗りながら参拝を行うように構成しても良い。これらの構成によっても、参拝室３の暗い雰囲気を払拭し、参拝の雰囲気を向上させることができる。
【０１１４】
上記各実施の形態では、携帯型電子機器の一例としてスマートフォン２を挙げて説明したが、必ずしもこれに限られるものではなく、他の携帯型電子機器の一例として、携帯電話、タブレット端末、タッチパネル画面を有するパーソナルコンピュータ等が挙げられる。
【０１１５】
上記各実施の形態では、納骨堂１，２０１，３０１の一例として参拝室３と納骨室７，３０７とが設けられる場合を説明したが、必ずしもこれに限られるものではない。例えば、参拝室３や納骨室７，３０７に加え、飲食店や量販店等の商業施設を併設することや、かかる商業施設を納骨堂１内のフロアに設けることで複合施設（複合慰霊施設）として構成でも良い。これにより、納骨堂１の暗い印象を払拭し、納骨堂１での参拝の雰囲気を向上させることができる。
【０１１６】
上記各実施の形態では、参拝室３とは異なる部屋（納骨室７，３０７）に納骨棚８が設けられる場合を説明したが、必ずしもこれに限られるものではない。例えば、参拝室３に納骨棚８が設けられる（参拝室３に骨壷１０が収容される）構成でも良い。この場合でも、天井面３０で光る第１灯具Ｌ１を故人の星とみなして参拝を行うことができる（納骨棚８と対面せずに参拝を行うことができる）ので、参拝の雰囲気を向上させることができる。
【０１１７】
また、納骨堂１，２０１，３０１とは異なる建造物の部屋に納骨棚８（骨壷１０）が設けられる構成でも良く、納骨棚８（骨壷１０）が参拝室３よりも下方（例えば、納骨堂１，２０１，３０１の地下）の部屋に設けられる構成でも良い。例えば、納骨堂１，２０１，３０１とは異なる建造物の部屋に納骨棚８（骨壷１０）が設けられる構成や、納骨堂１，２０１，３０１の参拝室３の真上ではない位置に納骨棚８（骨壺１０）が設けられる構成でも、少なくとも参拝室３（第１灯具Ｌ１）よりも上方に納骨棚８（骨壺１０）が設けられる構成であれば、第２実施形態のように、参拝者Ｈが参拝を行う所定位置と、骨壷１０とを結ぶ仮想線上に位置する第１灯具Ｌ１を点灯させることができる。
【０１１８】
上記各実施の形態では、天井面３０が円錐台形に形成される場合を説明したが、必ずしもこれに限られるものではなく、例えば、天井面３０を半球状に形成しても良い。これにより、天井面３０で点灯する第１灯具Ｌ１によってより星空に近い演出を行うことができる。
【０１１９】
上記各実施の形態では、第１灯具Ｌ１及び第２灯具Ｌ２が３色のＬＥＤから構成される場合を説明したが、必ずしもこれに限られるものではなく、例えば、第１灯具Ｌ１や第２灯具Ｌ２を１色や２色のＬＥＤから構成しても良い。また、ＬＥＤではなく、他の灯具（例えば、電球等）を用いて第１灯具Ｌ１や第２灯具Ｌ２を構成しても良い。
【０１２０】
上記各実施の形態では、第１灯具Ｌ１及び第２灯具Ｌ２がそれぞれ格子状に配設される場合を説明したが、必ずしもこれに限られるものではなく、例えば、第１灯具Ｌ１及び第２灯具Ｌ２を千鳥状に配設してもよく、分散配置するための手段は限定されない。
【０１２１】
また、複数の第１灯具Ｌ１又は第２灯具Ｌ２の配設領域が（複数の第１灯具Ｌ１又は第２灯具Ｌ２を全体として見た場合に）、矢印や、宗教のシンボルマークの形（特に、点対称ではない形状）となるように配置しても良い。これにより、天井面３０や床面３１が円形に形成される場合であっても、スマートフォン２に表示される灯具マップＭを見ることで点灯する第１灯具Ｌ１及び第２灯具Ｌ２の位置を容易に特定できる。
【０１２２】
上記各実施の形態では、スマートフォン２のＬＣＤ２６上に灯具マップＭが表示される場合を説明したが、必ずしもこれに限られるものではない。例えば、天井面３０を撮影するための撮影装置を参拝室３に設け、撮影装置で撮影された映像をスマートフォン２に送信する構成でも良い。この場合には、例えば、インターネットを経由してスマートフォン２に映像を送信する（インターネットを介して制御装置５とスマートフォン２との通信が行われる）ことにより、スマートフォン２に表示される映像を見ながら納骨堂１の外部で参拝を行うことができる。
【０１２３】
上記第１，２実施の形態では、納骨棚８の収容部８０の数よりも第１灯具Ｌ１の数が多い場合を説明したが、必ずしもこれに限られるものではない。例えば、納骨棚８の収容部８０の数よりも第１灯具Ｌ１の数が少ない構成や、納骨棚８の収容部８０と第１灯具Ｌ１の数とが同一である構成でも良い。
【０１２４】
上記第１実施の形態では、参拝者Ｈが第１灯具Ｌ１の点灯位置を設定する場合を説明したが、必ずしもこれに限られるものではなく、例えば、制御装置５が第１灯具Ｌ１の点灯位置を設定する構成でも良い。この場合、複数の第１灯具Ｌ１を点灯させる場合には、それぞれ異なる点灯態様で点灯させることにより、複数の参拝者Ｈが故人の星を容易に特定することができる。
【０１２５】
上記第１実施の形態では、参拝者Ｈが第１灯具Ｌ１を消灯させる場合を説明したが、第１灯具Ｌ１及び第２灯具Ｌ２の消灯を制御装置５が行う構成でも良い。この場合には、点灯テーブル５２ａを参照し、最後に操作された時間から所定時間（例えば、３０分）経過した第１灯具Ｌ１及び第２灯具Ｌ２を消灯させるよう、点灯装置４に指示を送れば良い。
【０１２６】
上記第２実施の形態では、床面３１で点灯する第２灯具Ｌ２によって参拝を行うべき場所を特定する場合を説明したが、必ずしもこれに限れられるものではない。例えば、第２灯具Ｌ２を省略し、床面３１に目印や参拝区域等を複数設け、参拝を行うべき場所をあらかじめ決めておく構成でも良い。この場合には、その参拝を行うべき場所を参拝者に知らせる（例えば、スマートフォン２で通知する）と共に、その参拝を行うべき場所と骨壷１０とを通る仮想線上に位置する第１灯具Ｌ１を点灯させることにより、参拝者Ｈの視線の先に骨壷１０を位置させることができる。なお、この「参拝を行うべき場所」が請求項５，６に記載される「所定位置」である。
【０１２７】
上記第３実施の形態では、収容部８０の段数および列数が３個の納骨棚８においてそれぞれ同一である場合を説明した。これに対し、例えば、収容部８０の段数や列数が複数の納骨棚においてそれぞれ異なる場合には、それに対応する行数および列数の第１灯具Ｌ１が配設される領域を納骨棚ごとに設ければ良い。また、納骨棚８の数も３個に限らず、１又は２個、若しくは４個以上であっても良い。納骨棚８の数がいずれの数であっても、少なくともその数に対応する数の領域（納骨棚８の収容部８０の段数および列数に対応する（同一の）行数および列数で第１灯具Ｌ１が配設される領域）を設ければ良い。これにより、骨壺１０が収容される座標と対応する位置に設けられる第１灯具Ｌ１を点灯させることができる。
【符号の説明】
【０１２８】
１，２０１，３０１            納骨堂
２                            スマートフォン（携帯型電子機器）
２５                          タッチパネル（入力手段）
２６                          ＬＣＤ（表示手段）
２７                          通信装置（点灯情報受信手段、設定情報送信手段）
３                            参拝室
３０                          天井面
５                            制御装置
５５                          通信装置（点灯情報送信手段、設定情報受信手段）
６                            投影装置
７，３０７                    納骨室
８                            納骨棚
１０                          骨壷
１００，２００，３００        参拝システム
Ｈ                            参拝者
Ｌ１                          第１灯具
Ｌ２                          第２灯具
Ｖ１，Ｖ２                    仮想線
【図１】
2018178699.tif 000003
【図２】
2018178699.tif 000004
【図３】
2018178699.tif 000005
【図４】
2018178699.tif 000006
【図５】
2018178699.tif 000007
【図６】
2018178699.tif 000008
【図７】
2018178699.tif 000009
【図８】
2018178699.tif 000010
【図９】
2018178699.tif 000011
【図１０】
2018178699.tif 000012